(57)【要約】【課題】単一の冷却器を共用して冷凍、冷蔵する冷凍冷蔵庫にあって、モータダンパに結露や氷結が発生するのを抑制し、除霜時に冷蔵室温度が上昇して冷蔵食品に悪影響を及ぼす恐れをなくし、電力消費も抑えることができる冷凍冷蔵庫を提供する。【解決手段】単一の冷却器を共用して冷凍室と冷蔵室を冷却する冷凍冷蔵庫であって、コントローラ２０は、除霜開始時に冷却室６から冷蔵室３Ａに通じる連通口に設けられたモータダンパ１２を開とし、ダンパ温度検出手段の計測若しくは推定する温度が所定の温度以上になるとモータダンパ１２を閉とする結露防止制御を行うものとした。【選択図】図４
2008032322.tif 000002
【特許請求の範囲】
【請求項１】
単一の冷却器を共用して冷凍室と冷蔵室を冷却し、かつ、モータダンパの開閉にて前記冷却器からの冷気を連通、遮断することにより前記冷蔵室の冷却を行う冷凍冷蔵庫であって、
前記冷却器温度を検出する冷却器温度センサと、
前記モータダンパの周囲温度を計測若しくは推定するダンパ温度検出手段と、
前記冷却器の除霜を行う除霜ヒータと、
所定の周期にて前記除霜ヒータをオンさせて前記冷却器を除霜すると共に、前記冷却器温度センサの検出温度が予め設定した除霜終了温度に達すれば前記除霜ヒータをオフさせ除霜を終了させるコントローラとを備え、
前記コントローラは、除霜開始時に前記モータダンパを開とし、前記ダンパ温度検出手段が計測若しくは推定する温度が所定の温度以上になると前記モータダンパを閉とする結露防止制御を行うことを特徴とする冷凍冷蔵庫。
【請求項２】
冷蔵室扉の開状態を検出する冷蔵室扉センサを備え、
前記コントローラは、前記冷蔵室扉センサが前記冷蔵室扉の所定の開状態を検出した時に、前記結露防止制御を行うことを特徴とする請求項１に記載の冷凍冷蔵庫。
【請求項３】
冷蔵室扉の開状態を検出する冷蔵室扉センサと冷凍室扉の開状態を検出する冷凍室扉センサとを備え、
前記コントローラは、前記冷蔵室扉センサ、冷凍室扉センサが共に所定の開状態を検出した時に、前記結露防止制御を行うことを特徴とする請求項１に記載の冷凍冷蔵庫。
【請求項４】
単一の冷却器を共用して冷凍室と冷蔵室を冷却し、かつ、モータダンパの開閉にて前記冷却器からの冷気を連通、遮断することにより前記冷蔵室の冷却を行う冷凍冷蔵庫であって、
前記冷却器温度を検出する冷却器温度センサと、
前記モータダンパの周囲温度を計測若しくは推定するダンパ温度検出手段と、
前記冷却器の除霜を行う除霜ヒータと、
冷蔵室扉の開状態を検出する冷蔵室扉センサと、
所定の周期にて前記除霜ヒータをオンさせて前記冷却器を除霜すると共に、前記冷却器温度センサの検出温度が予め設定した除霜終了温度に達すれば前記除霜ヒータをオフさせ除霜を終了させるコントローラとを備え、
前記コントローラは、除霜開始時に前記モータダンパを開とし、前記ダンパ温度検出手段の計測若しくは推定する温度が所定の温度以上になると前記モータダンパを閉とする結露防止制御を行い、前記冷蔵室扉センサが所定の開状態を検出した時に前記モータダンパを常時開とする制御を行うことを特徴とする冷凍冷蔵庫。
【請求項５】
単一の冷却器を共用して冷凍室と冷蔵室を冷却し、かつ、モータダンパの開閉にて前記冷却器からの冷気を連通、遮断することにより前記冷蔵室の冷却を行う冷凍冷蔵庫であって、
前記冷却器温度を検出する冷却器温度センサと、
前記モータダンパの周囲温度を計測若しくは推定するダンパ温度検出手段と、
前記冷却器の除霜を行う除霜ヒータと、
冷蔵室扉の開状態を検出する冷蔵室扉センサと、
冷凍室扉の開状態を検出する冷凍室扉センサと、
所定の周期にて前記除霜ヒータをオンさせて前記冷却器を除霜すると共に、前記冷却器温度センサの検出温度が予め設定した除霜終了温度に達すれば前記除霜ヒータをオフさせ除霜を終了させるコントローラとを備え、
前記コントローラは、除霜開始時に前記モータダンパを開とし、前記ダンパ温度検出手段の計測若しくは推定する温度が所定の温度以上になると前記モータダンパを閉とする結露防止制御を行い、前記冷蔵室扉センサ、冷凍室扉センサが共に所定の開状態を検出した時に前記モータダンパを常時開とする制御を行うことを特徴とする冷凍冷蔵庫。
【発明の詳細な説明】
【技術分野】
【０００１】
本発明は、冷凍冷蔵庫に関する。
【背景技術】
【０００２】
従来、単一の冷却器を共用して冷凍室と冷蔵室（野菜室を備えた冷蔵庫にあってはその野菜室も含む。本発明において同じ。）を冷却し、かつ、冷蔵室の冷却には、当該冷蔵室を冷凍室と仕切る隔壁に設けたモータダンパの開閉にて冷却器からの冷気を連通、遮断することにより行う機能を備えた冷凍冷蔵庫は、所定の周期で除霜ヒータに通電して冷却器を除霜するが、その除霜時にモータダンパを常時閉にして、冷蔵室に除霜ヒータの熱が流入して温度上昇するのを防止する制御をしている。
【０００３】
ところが、このような制御を行う場合、モータダンパを閉にして除霜ヒータへ通電を行い、除霜終了後に冷蔵室の冷却を開始しようとしてモータダンパを開とすると、冷却室側はいまだ除霜ヒータの熱によって温められていて高温多湿状態であるのに対して、冷蔵室側は比較的低温であるため、暖気が流入するとモータダンパの冷蔵室側の表面温度と冷蔵室空気温度との関係が逆転し、表面温度よりも冷蔵室空気温度の方が高くなる。その結果、モータダンパの表面に結露が発生し、やがてこの水滴が凍結してモータダンパが氷結して動作できなくなる恐れがある。特に、冷蔵室が高湿状態にあれば、モータダンパの周囲に結露、氷結が起こり易く、例えば、冷蔵室が半扉になっていたり、冷蔵室・冷凍室が共に半扉になっていたりすれば、この結露、氷結の発生する可能性は高くなる。
【０００４】
他方、特開平６−１３７７３７号公報（特許文献１）には、除霜中には、圧縮機の運転停止にもかかわらず、モータダンパを強制的に開とする制御を行うことにより、除霜中に冷却室内で発生した暖湿気が、冷蔵室及び冷凍室の両方に排出され、冷凍室の内容積が小さい場合等において、暖湿気の流出が冷凍室のみに集中し、冷凍室内の温度上昇が大となることを防ぎ、冷蔵室及び冷凍室の両室の除霜中の温度上昇を均一なものとする技術が記載されている。
【０００５】
この従来技術によれば、除霜中はモータダンパを常時開としておくものであるので、モータダンパの結露、氷結を防ぐことができるが、モータダンパを除霜終了まで常時開とするために冷蔵室が不必要に温度上昇してしまい食品に悪影響を及ぼす恐れがあり、除霜終了後にその冷却のために電力消費が増加する問題点があった。
【特許文献１】特開平６−１３７７３７号公報
【発明の開示】
【発明が解決しようとする課題】
【０００６】
本発明は、上述した従来の技術的課題に鑑みてなされたもので、単一の冷却器を共用して冷凍、冷蔵する冷凍冷蔵庫にあって、モータダンパに結露や氷結が発生するのを抑制し、除霜時に冷蔵室温度が上昇して冷蔵食品に悪影響を及ぼす恐れをなくし、電力消費も抑えることができる冷凍冷蔵庫を提供することを目的とする。
【課題を解決するための手段】
【０００７】
本発明の１つの特徴は、単一の冷却器を共用して冷凍室と冷蔵室を冷却し、かつ、モータダンパの開閉にて前記冷却器からの冷気を連通、遮断することにより前記冷蔵室の冷却を行う冷凍冷蔵庫であって、前記冷却器温度を検出する冷却器温度センサと、前記モータダンパの周囲温度を計測若しくは推定するダンパ温度検出手段と、前記冷却器の除霜を行う除霜ヒータと、所定の周期にて前記除霜ヒータをオンさせて前記冷却器を除霜すると共に、前記冷却器温度センサの検出温度が予め設定した除霜終了温度に達すれば前記除霜ヒータをオフさせ除霜を終了させるコントローラとを備え、前記コントローラは、除霜開始時に前記モータダンパを開とし、前記ダンパ温度検出手段が計測若しくは推定する温度が所定の温度以上になると前記モータダンパを閉とする結露防止制御を行う冷凍冷蔵庫である。
【０００８】
上記発明の冷凍冷蔵庫においては、さらに、冷蔵室扉の開状態を検出する冷蔵室扉センサを備え、前記コントローラは、前記冷蔵室扉センサが前記冷蔵室扉の所定の開状態を検出した時に、前記結露防止制御を行うものとすることができる。
【０００９】
また、上記発明の冷凍冷蔵庫においては、さらに、冷蔵室扉の開状態を検出する冷蔵室扉センサと冷凍室扉の開状態を検出する冷凍室扉センサとを備え、前記コントローラは、前記冷蔵室扉センサ、冷凍室扉センサが共に所定の開状態を検出した時に、前記結露防止制御を行うものとすることができる。
【００１０】
本発明の別の特徴は、単一の冷却器を共用して冷凍室と冷蔵室を冷却し、かつ、モータダンパの開閉にて前記冷却器からの冷気を連通、遮断することにより前記冷蔵室の冷却を行う冷凍冷蔵庫であって、前記冷却器温度を検出する冷却器温度センサと、前記モータダンパの周囲温度を計測若しくは推定するダンパ温度検出手段と、前記冷却器の除霜を行う除霜ヒータと、冷蔵室扉の開状態を検出する冷蔵室扉センサと、所定の周期にて前記除霜ヒータをオンさせて前記冷却器を除霜すると共に、前記冷却器温度センサの検出温度が予め設定した除霜終了温度に達すれば前記除霜ヒータをオフさせ除霜を終了させるコントローラとを備え、前記コントローラは、除霜開始時に前記モータダンパを開とし、前記ダンパ温度検出手段の計測若しくは推定する温度が所定の温度以上になると前記モータダンパを閉とする結露防止制御を行い、前記冷蔵室扉センサが所定の開状態を検出した時に前記モータダンパを常時開とする制御を行う冷凍冷蔵庫である。
【００１１】
本発明のさらに別の特徴は、単一の冷却器を共用して冷凍室と冷蔵室を冷却し、かつ、モータダンパの開閉にて前記冷却器からの冷気を連通、遮断することにより前記冷蔵室の冷却を行う冷凍冷蔵庫であって、前記冷却器温度を検出する冷却器温度センサと、前記モータダンパの周囲温度を計測若しくは推定するダンパ温度検出手段と、前記冷却器の除霜を行う除霜ヒータと、冷蔵室扉の開状態を検出する冷蔵室扉センサと、冷凍室扉の開状態を検出する冷凍室扉センサと、所定の周期にて前記除霜ヒータをオンさせて前記冷却器を除霜すると共に、前記冷却器温度センサの検出温度が予め設定した除霜終了温度に達すれば前記除霜ヒータをオフさせ除霜を終了させるコントローラとを備え、前記コントローラは、除霜開始時に前記モータダンパを開とし、前記ダンパ温度検出手段の計測若しくは推定する温度が所定の温度以上になると前記モータダンパを閉とする結露防止制御を行い、前記冷蔵室扉センサ、冷凍室扉センサが共に所定の開状態を検出した時に前記モータダンパを常時開とする制御を行う冷凍冷蔵庫である。
【発明の効果】
【００１２】
本発明の冷凍冷蔵庫によれば、除霜開始時にモータダンパを開とすることで冷凍室側と冷蔵室側の温度差を少なくし、モータダンパが結露、氷結するのを抑制し、また、除霜中に所定の温度以上になるとモータダンパを閉にすることで冷蔵室が不必要に温度上昇するのを防止して冷蔵室の食品への悪影響を抑制し、また再冷却のために必要となる消費電力を節約することができる。
【発明を実施するための最良の形態】
【００１３】
以下、本発明に実施の形態を図に基づいて詳説する。
【００１４】
（第１の実施の形態）図１、図２は、本発明の１つの実施の形態の冷凍冷蔵庫の構造を示している。図１、図２において、１は冷蔵庫本体の断熱箱体で、２Ａ，２Ｂは仕切壁、３Ａは冷蔵室、３Ｂは野菜室、４は冷凍室、５は圧縮機である。６は冷凍室４の奥部に設けられた冷却室で、内部に冷却器７及び冷気強制循環用送風機８、除霜ヒータ９が設けられている。冷却室６は冷凍室４と連通している。１０は冷蔵室吐出風路で、冷却室６と冷蔵室３とを連通させている。１２は冷蔵室吐出風路１０の冷却室６からの入口部に設けられたモータダンパであり、この開閉により冷却室６と冷蔵室３Ａとの連通を開放、遮断することで、冷却室６から冷蔵室３Ａを送り込む冷気を調整し、冷蔵室３Ａ、そしてそれと連通する野菜室３Ｂの温度調節を行う。１３は冷蔵室温度センサ、１４は冷却器温度センサである。さらに、１５は冷蔵室扉センサ、１６は野菜室扉センサ、１７は冷凍室扉センサである。
【００１５】
そして、２０は本実施の形態の冷凍冷蔵庫の全機能を制御するコントローラであり、冷蔵室温度センサ１３、冷却器温度センサ１４、冷蔵室扉センサ１５、野菜室扉センサ１６、冷凍室扉センサ１７等のセンサ群からの検出信号を入力し、圧縮機５、冷却器７、送風機８、除霜ヒータ９、モータダンパ１２等の機械類を制御する。
【００１６】
以上の構成の冷凍冷蔵庫について、その冷気の流れ動作を説明する。圧縮機５の運転時は、冷却器７で冷却された冷気が圧縮機５の運転と連動した冷気強制循環用送風機８の運転により、冷凍室４へ供給された後、冷却器７の下部に戻ることにより冷凍室４を冷却する。
【００１７】
一方、冷蔵室３Ａ、野菜室３Ｂについては、冷却室６内の冷気がモータダンパ１２の部分を通り、冷蔵室冷気吐出風路１０を通って冷蔵室３Ａへ供給され、この冷蔵室３Ａ、野菜室３Ｂを通った後、冷却器７の下部へ戻ることにより冷却される。尚、圧縮機５の運転停止時は、冷気強制循環用送風機８の運転も停止し、上記した冷気の流れは生じない。
【００１８】
冷蔵室３Ａに供給される冷気量は、冷蔵室温度センサ１３の温度をコントローラ２０が読み取り、設定温度との比較でモータダンパ１２を開閉させることによって調節する。例えば、冷蔵室温度センサ１３の温度が設定温度より高い時は、モータダンパ１２を開状態にして、冷気を冷蔵室３に供給して冷却し、冷蔵室３の温度を下げる制御をする。逆に、冷蔵室温度センサ１３の温度が設定温度より低い時は、モータダンパ１２を閉状態にして冷蔵室３Ａへの冷気の供給を止め、冷蔵室３の冷却を停止する。以上のようなコントローラ２０の制御により、冷気を冷蔵室３Ａ、野菜室３Ｂ内に適量供給することによって冷蔵室３を所定の温度に保つ。
【００１９】
次に、本実施の形態の冷凍冷蔵庫における除霜モードでの制御を説明する。図３は、本実施の形態の冷凍冷蔵庫におけるコントローラ２０の除霜モード制御部の機能構成を示している。コントローラ２０に対して、入力要素として冷却器温度センサ１４からの入力があり、制御対象として圧縮機５、除霜ヒータ９、モータダンパ１２がある。尚、コントローラ２０は計時のためのクロックを内蔵している。
【００２０】
コントローラ２０は、図４に示すフローチャートに基づいて除霜制御する。所定の周期で除霜モードに移行する（ステップＳ１）。除霜モードに入れば、コントローラ２０は圧縮機５を停止させ、除霜ヒータ９を投入し（ステップＳ２）、これと共に、モータダンパ１２を開動作させて冷却室６と冷蔵室３Ａとを連通させることで、その後除霜が終了して冷却を再開した直後に温度差が生じるのを抑制し、モータダンパ１２の冷蔵室側の表面に結露、氷結が発生するのを抑制する（ステップＳ３）。
【００２１】
コントローラ２０は除霜が進む間、冷却器温度センサ１４にて温度推移を監視している。そして、冷却器温度センサ１４の検出温度に基づいて推定したダンパ周囲温度が所定値以上になれば、除霜ヒータ９に通電中であっても、モータダンパ１２を閉動作させて冷蔵室３Ａを冷却室６から遮断してそれ以上に不必要に温度上昇するのを防止し、除霜モード終了後の冷蔵室３Ａの再冷却に必要となる電力が少なくて済むようにする（ステップＳ４，Ｓ５）。また、モータダンパ１２を閉じることで、モータダンパ１２の冷蔵室側の表面温度と冷却室側の温度とに若干の温度差が生じるが、開期間が長いので氷結に至るまでにはならない。
【００２２】
コントローラ２０は、その後も冷却器温度センサ１４の検出温度の推移を見守り、ある期間０℃で推移した後に温度上昇が始まれば除霜終了と判断し、除霜ヒータ９への通電を遮断し（ステップＳ６，Ｓ７）、圧縮機５を再起動して冷凍室４の冷却を再開すると共に（ステップＳ８）、モータダンパ１２を通常モードで開閉制御し、冷蔵室３Ａの温度制御も再開する（ステップＳ９）。ここで、モータダンパ１２を通常モードで開閉制御するとは、例えば、冷蔵室温度が設定温度よりも１℃低くなればモータダンパ１２を閉動作させて冷却室６からの冷気の流入を遮断し、冷蔵室温度が設定温度よりも３℃高くなればモータダンパ１２を開動作させて冷却室６から冷気を取り込み、室温を下げる制御をすることである。
【００２３】
本実施の形態の冷凍冷蔵庫によれば、除霜開始時にモータダンパ１２を開動作させて冷却室６と冷蔵室３Ａとを連通させて温度差を少なくし、モータダンパ１２の冷蔵室側表面に結露、氷結が発生するのを抑制し、また、冷却器温度センサ１４の検出温度に基づいて推定したダンパ周囲温度が所定値以上になれば、除霜ヒータ９に通電中であってもモータダンパ１２を閉動作させて冷蔵室３Ａを冷却室６から遮断してそれ以上に不必要に温度上昇するのを防止し、冷蔵室３Ａ内の食品に悪影響が及ぶのを防止すると共に、除霜モード終了後の冷蔵室３Ａの再冷却に必要となる電力が少なくできる。
【００２４】
図５は従来の除霜モード時にモータダンパを常時閉とする制御を行う場合の冷却器温度センサの検出温度Ｔ１の推移と、モータダンパの表面温度Ｔ２及びモータダンパの冷蔵室側周囲温度Ｔ３の推移とを示し、図６は本実施の形態の場合の同様の位置の温度推移を示している。図５に示した従来例の場合、除霜スタート時にモータダンパを常時閉とするために冷却室から冷蔵室が切り離される。その結果、冷却室が除霜ヒータの熱で上昇する前であるので冷却室温度Ｔ１は氷点下となり、それに接するモータダンパの表面温度Ｔ２も冷却室側の温度Ｔ１に引かれて冷蔵室側の温度Ｔ３よりも低くなり、モータダンパの冷蔵室側の表面に結露、氷結が発生していた。
【００２５】
これに対して、本実施の形態の場合、除霜スタート時にモータダンパを開とするために冷却室６と冷蔵室３Ａとが連通する。その結果、冷却室６の冷熱が冷蔵室３Ａ側に流れるのでその両側での温度差が少なくなり、モータダンパ１２の表面温度Ｔ２と冷蔵室３Ａ側のモータダンパ１２の周囲温度Ｔ３との間の温度差も少なくなり、モータダンパの冷蔵室側の表面に結露、氷結が発生することはない。そして、冷却器温度センサ１４により冷却器６の霜が解凍したと見なせるタイミングτ１でモータダンパ１２を強制的に閉動作させることで、冷蔵室３Ａ側の冷気が冷却室６側の空気によって暖められないように遮断することで、それ以上に不必要に温度上昇するのを防止し、冷蔵室３Ａ内の食品に悪影響が及ぶのを防止し、また、除霜モード終了後の冷蔵室３Ａの再冷却に必要となる電力を少なくする。さらに、モータダンパ１２の表面温度上昇も小さいため、結露の発生がない。
【００２６】
尚、上記実施の形態では、コントローラ２０は冷却器温度センサ１４の検出温度に基づいてモータダンパ１２の周囲温度を推定するようにしたが、モータダンパ１２の近傍の適所に別途に温度センサを設置し、モータダンパ１２の周囲温度をこの温度センサにて検出し、この検出温度に基づいて除霜中にモータダンパ１２を強制的に閉動作させるタイミングを決定するようにしてもよい。そしてその場合には、モータダンパ１２の結露、氷結防止と省電力のための制御をより信頼性高く行うことができることになる。
【００２７】
（第２の実施の形態）本発明の第２の実施の形態の冷凍冷蔵庫について、図７、図８を用いて説明する。本実施の形態の冷凍冷蔵庫の構造は、図１、図２に示した第１の実施の形態と共通する。そして、本実施の形態の特徴は、コントローラ２０の制御機能にあり、図７に示す機能構成であり、また図８のフローチャートに示す制御を実行する。
【００２８】
コントローラ２０は、除霜モードにおいて、冷却器温度センサ１４の温度信号と共に、冷蔵室扉の開状態を検出する冷蔵室扉センサ１５と野菜室扉の開状態を検出する野菜室扉センサ１６と冷凍室扉の開状態を検出する冷凍室扉センサ１７から扉開検出信号を入力し、冷蔵室扉センサ１５又は野菜室扉センサ１６と冷凍室扉センサ１７の信号からこれらの冷蔵室扉又は野菜室扉と冷凍室扉とが共に所定の開状態を検知した場合に、第１の実施の形態と同様のモータダンパ結露防止制御を行う。
【００２９】
コントローラ２０によるモータダンパ１２の結露防止制御は、図８のフローチャートに基づく。所定の周期で除霜モードに移行する（ステップＳ１１）。除霜モードに入れば、コントローラ２０は圧縮機５を停止させ、除霜ヒータ９を投入する（ステップＳ１２）。そして、コントローラ２０は、冷蔵室扉センサ１５又は野菜室扉センサ１６と冷凍室扉センサ１７の開検出信号が共に継続して一定時間以上入力されていればこれらの冷蔵室扉又は野菜室扉と冷凍室扉とが共に所定の開状態にあると判断する（ステップＳ１３）。尚、「所定の開状態」とは、例えば、除霜運転前に又は除霜運転中に扉開状態が所定時間、例えば、３分以上経過した場合、又は、短時間（例えば３分間）のうちに所定回数（例えば５回）以上の開閉を検知した場合など、扉半開状態や開状態が長期間に渡り継続し、あるいは開閉が短時間のうちに数回に渡って行われたことで冷蔵室３Ａ内が多湿であろうと推定される状態をいう。最適な判断条件は、実験に基づいて適切に決定する。
【００３０】
ここで、冷蔵室扉又は野菜室扉と冷凍室扉とが共に所定の開状態にあると判断したならば、モータダンパ１２を開動作させて冷却室６と冷蔵室３Ａとを連通させて温度差をなくし、除霜終了直後の再冷却時にモータダンパ１２の冷蔵室側の表面に結露、氷結が発生するのを防止する（ステップＳ１４）。
【００３１】
コントローラ２０は除霜が進む間、冷却器温度センサ１４にて温度推移を監視している。そして、冷却器温度センサ１４の検出温度に基づいて推定したダンパ周囲温度が所定値以上になれば、除霜ヒータ９に通電中であっても、モータダンパ１２を閉動作させて冷蔵室３Ａを冷却室６から遮断してそれ以上に不必要に温度上昇するのを防止し、中の食品に悪影響が及ぶのを防止し、また、除霜モード終了後の冷蔵室３Ａの再冷却に必要となる電力を少なくする（ステップＳ１５，Ｓ１６）。また、モータダンパ１２を閉じることで、モータダンパ１２の冷蔵室側の表面温度と冷却室側の温度とに若干の温度差が生じるが、開期間が長いので氷結に至るまでにはならない。
【００３２】
コントローラ２０は、その後も冷却器温度センサ１４の検出温度の推移を見守り、ある期間０℃で推移した後に温度上昇が始まれば除霜終了と判断し、除霜ヒータ９への通電を遮断し（ステップＳ１７，Ｓ１８）、圧縮機５を再起動して冷凍室４の冷却を再開すると共に（ステップＳ１９）、モータダンパ１２を通常モードで開閉制御し、冷蔵室３Ａの温度制御も再開する（ステップＳ２０）。
【００３３】
他方、ステップＳ１３の扉半開判断において「ＮＯ」と判断すれば、ステップＳ１４，Ｓ１５の処理をせずにステップＳ１６に飛び、モータダンパ１２を強制的に閉動作させ、以降、従来と同様にステップＳ１７〜Ｓ２０の処理を行う。
【００３４】
特に冷蔵室扉と冷凍室扉が半開状態若しくは開放状態のような所定の開状態にある場合には外気が流入して高湿になる可能性が冷蔵室、冷凍室内で顕著であり、冷却再開直後にモータダンパ１２の表面に結露、氷結が発生しやすい。そこで、本実施の形態では、除霜開始時に冷蔵室扉と冷凍室扉が共に所定の開状態にあるか否か判断し、所定の開状態にあれば、モータダンパ１２を開動作させて冷却室６と冷蔵室３Ａとを連通させて温度差をなくし、また、冷却器温度センサ１４の検出温度に基づいて推定したダンパ周囲温度が所定値以上になれば、除霜ヒータ９に通電中であってもモータダンパ１２を閉動作させて冷蔵室３Ａを冷却室６から遮断する結露防止制御を行う。これにより、本実施の形態では、第１の実施の形態と比較して冷蔵室３Ａの温度の影響をより少なくしつつ、結露が発生しやすい状態で本制御を行うので、適切かつ確実に結露発生を抑制できる。
【００３５】
尚、第２の実施の形態では、結露防止制御において、冷蔵室扉と冷凍室扉とが共に所定の開状態にある場合に、除霜モード開始直後にモータダンパ１２を強制的に開動作させることにしたが、これに代えて、冷蔵室扉又は野菜室扉のいずれか一方若しくは両方が所定の開状態にあるか否かを判断し、除霜モード開始直後にモータダンパ１２を強制的に開動作させる制御を採用することができる。この場合、構成上では、冷凍室扉センサ１７の入力は不要となる。いずれも氷結温度以上の温度に制御されている冷蔵室３Ａや野菜室３Ｂの扉が所定の開状態にある場合にも、冷却室６内との温度差は大きく、モータダンパ１２の表面の結露、氷結が発生しやすいからである。
【００３６】
尚、また、本実施の形態にあっても、モータダンパ１２の近傍の適所に別途に温度センサを設置し、モータダンパ１２の周囲温度をこの温度センサにて検出し、この検出温度に基づいて除霜中にモータダンパ１２を強制的に閉動作させるタイミングを決定するようにしてもよい。
【００３７】
（第３の実施の形態）本発明の第３の実施の形態の冷凍冷蔵庫について、図９、図１０を用いて説明する。本実施の形態の冷凍冷蔵庫の構造は、図１、図２に示した第１の実施の形態と共通する。そして、本実施の形態におけるコントローラ２０による除霜モード時の制御を実現するための機能構成は図９に示すものであり、また除霜モード時の制御処理は図１０のフローチャートによるものである。
【００３８】
図９に示すように、コントローラ２０は、冷却器温度センサ１４、冷蔵室扉センサ１５、野菜室扉センサ１６の信号を入力し、圧縮機５、除霜ヒータ９、モータダンパ１２を制御対象としている。そしてコントローラ２０は、除霜モードにおいて、冷却器温度センサ１４の温度信号と共に、冷蔵室扉の開状態を検出する冷蔵室扉センサ１５と野菜室扉の開状態を検出する野菜室扉センサ１６から扉開検出信号を入力し、冷蔵室扉センサ１５又は野菜室扉センサ１６の信号から冷蔵室扉又は野菜室扉が所定の開状態にあると判断した時には、モータダンパ１２を強制的に開状態にして除霜制御し、これらがいずれも所定の開状態になければ第１の実施の形態と同様のモータダンパ結露防止制御を行う。
【００３９】
コントローラ２０によるモータダンパ１２の結露防止制御は、図１０のフローチャートに基づく。所定の周期で除霜モードに移行する（ステップＳ３１）。除霜モードに入れば、コントローラ２０は圧縮機５を停止させ、除霜ヒータ９を投入する（ステップＳ３２）。そして、コントローラ２０は、冷蔵室扉センサ１５又は野菜室扉センサ１６の開検出信号が継続して一定時間以上入力されていればこれらの冷蔵室扉又は野菜室扉が所定の開状態にあると判断する（ステップＳ３３）。
【００４０】
ここで、冷蔵室扉又は野菜室扉が所定の開状態にはないと判断したならば、モータダンパ１２を開動作させて冷却室６と冷蔵室３Ａとを連通させて温度差をなくし、モータダンパ１２の冷蔵室側の表面に結露、氷結が発生するのを防止する（ステップＳ３４）。以降、コントローラ２０は除霜が進む間、冷却器温度センサ１４にて温度推移を監視している。そして、冷却器温度センサ１４の検出温度に基づいて推定したダンパ周囲温度が所定値以上になれば、除霜ヒータ９に通電中であっても、モータダンパ１２を閉動作させて冷蔵室３Ａを冷却室６から遮断してそれ以上に不必要に温度上昇するのを防止し、除霜モード終了後の冷蔵室３Ａの再冷却に必要となる電力を少なくする（ステップＳ３５，Ｓ３６）。
【００４１】
コントローラ２０は、その後も冷却器温度センサ１４の検出温度の推移を見守り、ある期間０℃で推移した後に温度上昇が始まれば除霜終了と判断し、除霜ヒータ９への通電を遮断し（ステップＳ３７，Ｓ３８）、圧縮機５を再起動して冷凍室４の冷却を再開すると共に（ステップＳ３９）、モータダンパ１２を通常モードで開閉制御し、冷蔵室３Ａの温度制御も再開する（ステップＳ４０）。
【００４２】
他方、ステップＳ３３の判断において冷蔵室扉又は野菜室扉の少なくとも一方が所定の開状態にあると判断すれば、ステップＳ３４〜Ｓ３６の処理をせずにステップＳ３７に飛び、以降、従来と同様にステップＳ３７〜Ｓ４０の処理を行う。
【００４３】
特に冷蔵室扉や野菜室扉が半開状態若しくは開放状態のような所定の開状態にある場合には、外気が流入して高湿になる可能性が冷蔵室３Ａ内で顕著であり、除霜開始直後にモータダンパ１２の表面に結露が発生しやすい。
【００４４】
そこで、本実施の形態によれば、冷蔵室扉や野菜室扉が所定の開状態にない場合には、第２の実施の形態と同様にモータダンパ１２の開閉制御を行うことでモータダンパ１２の結露、氷結の発生を防止し、また、冷却器温度センサ１４の検出温度に基づいて推定したダンパ周囲温度が所定値以上になれば、除霜ヒータ９に通電中であってもモータダンパ１２を閉動作させて冷蔵室３Ａを冷却室６から遮断してそれ以上に不必要に温度上昇するのを防止し、中の食品に悪影響が及ぶのを防止し、また除霜モード終了後の冷蔵室３Ａの再冷却に必要となる電力を少なくする。
【００４５】
他方、冷蔵室扉や野菜室扉が所定の開状態にある場合には、冷蔵室が高湿となる可能性があるので、除霜モード中モータダンパ１２を開状態にして冷却室６と冷蔵室３Ａとを連通させて温度差を少なくし、モータダンパ１２の冷蔵室側に結露が発生するのを効果的に抑制する。
【００４６】
尚、第３の実施の形態では、結露防止制御において、冷蔵室扉と野菜室扉だけに注目したが、第２の実施の形態のように冷蔵室扉若しくは野菜室扉と冷凍室扉とが共に半開状態若しくは開放状態のような所定の開状態にある場合に、上記の制御を行うことにして、冷蔵室扉又は野菜室扉と冷凍室扉とが共に所定の開状態にあるか否かを判断し、除霜開始直後にモータダンパ１２を強制的に開動作させる制御を採用することができる。
【００４７】
尚、また、本実施の形態にあっても、モータダンパ１２の近傍の適所に別途に温度センサを設置し、モータダンパ１２の周囲温度をこの温度センサにて検出し、この検出温度に基づいて除霜中にモータダンパ１２を強制的に閉動作させるタイミングを決定するようにしてもよい。
【図面の簡単な説明】
【００４８】
【図１】本発明の第１の実施の形態の冷凍冷蔵庫の正面図。
【図２】上記実施の形態の冷凍冷蔵庫の側面断面図。
【図３】上記実施の形態の冷凍冷蔵庫の制御機能のブロック図。
【図４】上記実施の形態におけるコントローラによる制御処理のフローチャート。
【図５】従来例による除霜モード時の冷却室温度、モータダンパ表面温度、モータダンパ周囲温度の推移を示すグラフ。
【図６】上記実施の形態における除霜モード時の冷却室温度、モータダンパ表面温度、モータダンパ周囲温度の推移を示すグラフ。
【図７】本発明の第２の実施の形態の冷凍冷蔵庫の制御機能のブロック図。
【図８】上記実施の形態におけるコントローラによる制御処理のフローチャート。
【図９】本発明の第３の実施の形態の冷凍冷蔵庫の制御機能のブロック図。
【図１０】上記実施の形態におけるコントローラによる制御処理のフローチャート。
【符号の説明】
【００４９】
１  断熱箱体
２Ａ，２Ｂ  仕切壁
３Ａ  冷蔵室
３Ｂ  野菜室
４  冷凍室
５  圧縮機
６  冷却室
７  冷却器
８  送風機
９  除霜ヒータ
１２  モータダンパ
１４  冷却器温度センサ
１５  冷蔵室扉センサ
１６  野菜室扉センサ
１７  冷凍室扉センサ
２０  コントローラ
【図１】
2008032322.tif 000003
【図２】
2008032322.tif 000004
【図３】
2008032322.tif 000005
【図４】
2008032322.tif 000006
【図５】
2008032322.tif 000007
【図６】
2008032322.tif 000008
【図７】
2008032322.tif 000009
【図８】
2008032322.tif 000010
【図９】
2008032322.tif 000011
【図１０】
2008032322.tif 000012